【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
コンピューター実行可能命令を記憶した１以上のコンピューター・ストレージ・ハードウエア・デバイスまたはコンピューター・ストレージ媒体であって、前記コンピューター実行可能命令は、コンピューティング・デバイスに、複数のサーチ入力に応答してトピック・クエリ提案を生成する方法を実行させ、前記方法は、
複数のサーチ入力をユーザーから受けるステップであって、前記複数のサーチ入力はサーチ・セッションの全部分である、ステップと、
サーチ入力ごとにサーチ結果のセットを生成するステップであって、それにより複数のサーチ結果セットを形成するステップと、
サーチ結果の前記セットの各々からトピックを抽出するステップと、
前記複数のサーチ結果セットのうちの少なくとも２つから抽出された、１以上の共通のトピックを識別するステップと、
前記１以上の共通のトピックを表示のために出力するステップと、
前記１以上の共通のトピック内の個々のトピックの選択を受けるステップと、
前記個々のトピックと関連する、サーチ結果の前記セットからのサーチ結果のサブセットを、表示のために出力するステップと
を含む、コンピューター・ストレージ・ハードウエア・デバイスまたはコンピューター・ストレージ媒体。
【請求項２】
請求項１に記載のコンピューター・ストレージ・ハードウエア・デバイスまたはコンピューター・ストレージ媒体であって、サーチ結果の前記サブセットは、前記選択を受ける前に、前記ユーザーに対し表示のために出力されない、コンピューター・ストレージ・ハードウエア・デバイスまたはコンピューター・ストレージ媒体。
【請求項３】
請求項１に記載のコンピューター・ストレージ・ハードウエア・デバイスまたはコンピューター・ストレージ媒体であって、前記サーチ入力は１以上の文書内のテキストの部分であり、前記サーチ入力として前記ユーザーからテキストの前記部分の指定を受ける、コンピューター・ストレージ・ハードウエア・デバイスまたはコンピューター・ストレージ媒体。
【請求項４】
請求項３に記載のコンピューター・ストレージ・ハードウエア・デバイスまたはコンピューター・ストレージ媒体であって、前記方法は、前記ユーザーから、テキストの前記部分が指定された後に、前記トピックを生成するための命令を受けるステップを更に含む、コンピューター・ストレージ・ハードウエア・デバイスまたはコンピューター・ストレージ媒体。
【請求項５】
請求項１に記載のコンピューター・ストレージ・ハードウエア・デバイスまたはコンピューター・ストレージ媒体であって、前記方法は、新たなサーチ・セッションの開始を示すものを受けるステップを更に含む、コンピューター・ストレージ・ハードウエア・デバイスまたはコンピューター・ストレージ媒体。
【請求項６】
請求項１に記載のコンピューター・ストレージ・ハードウエア・デバイスまたはコンピューター・ストレージ媒体であって、前記方法は、
前記１以上の共通のトピック内の追加のトピックの選択を受けるステップと、
前記個々のトピックおよび前記追加のトピックと関連する、サーチ結果の前記セットからのサーチ結果の新たなサブセットを、表示のために出力するステップと
を更に含む、コンピューター・ストレージ・ハードウエア・デバイスまたはコンピューター・ストレージ媒体。
【請求項７】
請求項１に記載のコンピューター・ストレージ・ハードウエア・デバイスまたはコンピューター・ストレージ媒体であって、前記トピックは、サーチ結果の前記セット内の個々のサーチ結果に対して自然言語分析を行うことにより、サーチ結果の前記セットから抽出される、コンピューター・ストレージ・ハードウエア・デバイスまたはコンピューター・ストレージ媒体。
【請求項８】
請求項１に記載のコンピューター・ストレージ・ハードウエア・デバイスまたはコンピューター・ストレージ媒体であって、前記サーチ入力は、前記サーチ・セッション中に送信される複数のサーチ・クエリである、コンピューター・ストレージ・ハードウエア・デバイスまたはコンピューター・ストレージ媒体。
【請求項９】
複数のサーチ入力に応答してトピック・クエリ提案を生成するための方法であって、
コンピューター・デバイスが、複数のサーチ入力をユーザーから受けるステップであって、前記複数のサーチ入力はサーチ・セッションの全部分である、ステップと、
コンピューター・デバイスが、サーチ入力ごとにサーチ結果のセットを生成するステップであって、それにより複数のサーチ結果セットを形成するステップと、
コンピューター・デバイスが、サーチ結果の前記セットの各々からトピックを抽出するステップと、
コンピューター・デバイスが、前記複数のサーチ結果セットのうちの少なくとも２つから抽出された、１以上の共通のトピックを識別するステップと、
コンピューター・デバイスが、前記１以上の共通のトピックを表示のために出力するステップと、
コンピューター・デバイスが、前記１以上の共通のトピック内の個々のトピックの選択を受けるステップと、
コンピューター・デバイスが、前記個々のトピックと関連する、サーチ結果の前記セットからのサーチ結果のサブセットを、表示のために出力するステップと
を含む方法。
【請求項１０】
請求項９に記載の方法であって、サーチ結果の前記サブセットは、前記選択を受ける前に、前記ユーザーに対し表示のために出力されない、方法。
【請求項１１】
請求項９に記載の方法であって、前記サーチ入力は１以上の文書内のテキストの部分であり、前記サーチ入力として前記ユーザーからテキストの前記部分の指定を受ける、方法。
【請求項１２】
請求項１１に記載の方法であって、コンピューター・デバイスが、前記ユーザーから、テキストの前記部分が指定された後に、前記トピックを生成するための命令を受けるステップを更に含む方法。
【請求項１３】
請求項９に記載の方法であって、コンピューター・デバイスが、新たなサーチ・セッションの開始を示すものを受けるステップを更に含む方法。
【請求項１４】
請求項９に記載の方法であって、
コンピューター・デバイスが、前記１以上の共通のトピック内の追加のトピックの選択を受けるステップと、
コンピューター・デバイスが、前記個々のトピックおよび前記追加のトピックと関連する、サーチ結果の前記セットからのサーチ結果の新たなサブセットを、表示のために出力するステップと
を更に含む方法。
【請求項１５】
請求項９に記載の方法であって、前記トピックは、サーチ結果の前記セット内の個々のサーチ結果に対して自然言語分析を行うことにより、サーチ結果の前記セットから抽出される、方法。
【請求項１６】
請求項９に記載の方法であって、前記サーチ入力は、前記サーチ・セッション中に送信される複数のサーチ・クエリである、方法。
【請求項１７】
複数のサーチ入力に応答してトピック・クエリ提案を生成するためのシステムであって、該システムは、
１以上のプロセッサーと、
コンピューター実行可能命令を記憶した１以上のコンピューター・ストレージ媒体と
を含み、前記コンピューター実行可能命令は、前記１以上のプロセッサーに、
複数のサーチ入力をユーザーから受けるステップであって、前記複数のサーチ入力はサーチ・セッションの全部分である、ステップと、
サーチ入力ごとにサーチ結果のセットを生成するステップであって、それにより複数のサーチ結果セットを形成するステップと、
サーチ結果の前記セットの各々からトピックを抽出するステップと、
前記複数のサーチ結果セットのうちの少なくとも２つから抽出された、１以上の共通のトピックを識別するステップと、
前記１以上の共通のトピックを表示のために出力するステップと、
前記１以上の共通のトピック内の個々のトピックの選択を受けるステップと、
前記個々のトピックと関連する、サーチ結果の前記セットからのサーチ結果のサブセットを、表示のために出力するステップと
を実行させる、システム。
【請求項１８】
請求項１７に記載のシステムであって、サーチ結果の前記セットまたは前記サブセットは、前記選択を受ける前に、前記ユーザーに対し表示のために出力されない、システム。
【請求項１９】
請求項１７に記載のシステムであって、前記サーチ入力は１以上の文書内のテキストの部分であり、前記サーチ入力として前記ユーザーからテキストの前記部分の指定を受ける、システム。
【請求項２０】
請求項１７に記載のシステムであって、前記サーチ入力は、前記サーチ・セッション中に送信される複数のサーチ・クエリである、システム。
【請求項２１】
請求項１から８のうちの何れか一項に記載のコンピューター実行可能命令を含むプログラム。